(57)【特許請求の範囲】
【請求項１】
バーナにより加熱される共通の熱交換器に第１の受熱管と他の系の受熱管とが通されている燃焼装置であって、
燃焼装置に所定の動作状態を報知する報知手段と、
燃焼装置に動作を指示する動作指示部及び前記報知手段の報知を指示する報知指示部を含み、前記動作指示部による指示信号が前記他の系の燃焼指示であるとき、前記報知指示部により前記報知手段に前記他の系の燃焼指示中であることを報知させる制御手段と
を備え、
前記報知手段は燃焼ランプであり、前記他の系の燃焼指示が追焚き系の間欠運転における非燃焼であっても、前記燃焼ランプを点灯させる
ことを特徴とする燃焼装置。
【請求項２】
前記燃焼ランプは、前記間欠運転の燃焼中と非燃焼中とを異なる色により区別して点灯させることを特徴とする、請求項１に記載の燃焼装置。
【請求項３】
前記ランプは、前記間欠運転の燃焼中と非燃焼中とを、点滅により区別して点灯させることを特徴とする、請求項１に記載の燃焼装置。
【請求項４】
前記他の系が間欠運転中に、同一の指示がされたとき、特殊な報知をさせる特殊報知手段を備えたことを特徴とする、請求項１に記載の燃焼装置。
【請求項５】
前記特殊報知手段はランプであり、前記特殊な報知は、点滅の周期の変更により行われることを特徴とする、請求項４に記載の燃焼装置。
【請求項６】
前記特殊報知手段は文字表示手段であり、前記特殊な報知は、所定の文字により行われることを特徴とする、請求項４に記載の燃焼装置。
【請求項７】
前記特殊報知手段は音声発生手段であり、前記特殊な報知は、所定の音声により行われることを特徴とする、請求項４に記載の燃焼装置。
【請求項８】
前記燃焼装置が間欠運転中に、所定のキャンセル指示がされたとき、前記報知手段に間欠運転中であることの報知を継続させながら、所定時間でキャンセルさせることを特徴とする、請求項１に記載の燃焼装置。
【発明の詳細な説明】
【０００１】
【発明の属する技術分野】
本発明は、給湯系の受熱管と他の系の受熱管とをバーナにより共通の熱交換器にて加熱する燃焼装置の改良に関するものである。
【０００２】
【従来の技術】
一つの熱交換器の内胴内に複数の系の受熱管を通してバーナにより加熱する燃焼装置は、１缶複水路型と呼ばれている。この１缶複水路型の燃焼装置によれば、燃焼部をコンパクトにして、装置の小型化を図ることができる。
このような燃焼装置では、上記複数の系は、一つの系が例えば給湯系として構成され、この受熱管の一端には給水管を接続して水を供給できるようにし、他端には給湯管を接続して加熱した湯を供給できるようになっている。また、他の系は例えば風呂の浴槽と接続された循環管路でなる風呂系もしくは追焚き系として構成されている。
【０００３】
このような構成の燃焼装置では、追焚き時には、追焚き系に設けたポンプを駆動して浴槽の水を循環させ、バーナを燃焼させて熱交換し、浴槽の水を沸かすようになっている。また、給湯時には、同じバーナを燃焼させて熱交換し、給湯系の給水管からの水を沸かして給湯管から出湯するようになっている。
ところで、このような１缶２水路型の燃焼装置における追焚き時は、給湯側受熱管内の湯温が所定範囲内となるように燃焼・非燃焼を繰り返す間欠運転が採用されている。そして、この間欠運転における燃焼中は、燃焼ランプを点灯し、非燃焼中は、燃焼ランプを消灯する制御が行われている。
【０００４】
【発明が解決しようとする課題】
ところが、このように追焚き時の間欠運転における非燃焼中に燃焼ランプを消灯する制御を行うと、使用者は、追焚きを要求したにもかかわらず追焚きされていないと勘違いしてしまうという問題があった。
【０００５】
この発明は、上記課題を解決するためになされたもので、所定の動作状態の指示中であることを報知することができる燃焼装置を提供することを目的とする。
【０００６】
【課題を解決するための手段】
上記目的は、本発明によれば、バーナにより加熱される共通の熱交換器に第１の受熱管と他の系の受熱管とが通されている燃焼装置であって、燃焼装置に所定の動作状態を報知する報知手段と、燃焼装置に動作を指示する動作指示部及び前記報知手段の報知を指示する報知指示部を含み、前記動作指示部による指示信号が前記他の系の燃焼指示であるとき、前記報知指示部により前記報知手段に前記他の系の燃焼指示中であることを報知させる制御手段とを備え、前記報知手段は燃焼ランプであり、前記他の系の燃焼指示が追焚き系の間欠運転における非燃焼であっても、前記燃焼ランプを点灯させる燃焼装置により達成される。
【０００７】
上記構成によれば、他の系の所定の動作状態を報知する報知手段は、他の系が燃焼指示されていることを常時報知している。
これにより、他の系が所定の動作状態における非燃焼中であっても、使用者の要求が実行されていないとする勘違いを無くすことができる。
例えば報知手段をランプとし、他の系の燃焼指示が間欠運転であるとき、ランプを点灯させるようにしたり、ランプを燃焼中と非燃焼中を区別して点灯させるようにする。さらに、ランプの区別を、異なる色、点滅、少なくとも２つのランプにより行うようにする。そして、ランプを、タイマー制御するようにしても良い。
また、例えば報知手段を文字表示手段とし、他の系の燃焼指示が間欠運転であっても、文字表示手段にその運転状態あるいは動作指示内容を表示させるようにする。
【０００８】
さらに、他の系が間欠運転中に、同一の指示がされたとき、特殊な報知をさせる特殊報知手段を備えるようにする。そして、特殊報知手段をランプとし、特殊な報知を、点滅の周期の変更により行うようにする。また、特殊報知手段を文字表示手段とし、特殊な報知を、所定の文字により行うようにする。さらに、特殊報知手段を音声発生手段とし、特殊な報知を、所定の音声により行うようにする。
また、燃焼装置が間欠運転中に、所定のキャンセル指示がされたとき、報知手段に間欠運転中であることの報知を継続させながら、所定時間でキャンセルさせるようにしても良い。
以上は、第１の受熱管が給湯管であり、他の系の受熱管の少なくとも１つの系が風呂の浴槽に連通している燃焼装置に適用可能である。
【０００９】
【発明の実施の形態】
以下、本発明の好適な実施の形態を添付図面に基づいて詳細に説明する。
尚、以下に述べる実施の形態は、本発明の好適な例であるから、技術的に好ましい種々の限定が付されているが、本発明の範囲は、以下の説明において特に本発明を限定する旨の記載がない限り、これらの態様に限られるものではない。
【００１０】
図１は、本発明に係る燃焼装置の実施形態の主な構成を示す系統図である。
図において、この燃焼装置１０は、一つの熱交換器に給水系と追焚き系の水路を通してバーナにより加熱する１缶２水路の給湯器の例を示している。
熱交換器１３の下方には、燃焼部１２が設けられており、燃焼部１２には、一つのバーナ１５が備えられている。バーナ１５には、外部から引き込まれた燃料ガスの供給管１５ａが接続されており、ガス供給管１５ａには、主電磁開閉弁２２と、電磁比例弁２１が接続されている。これにより、主電磁開閉弁２２を開いて、外部から燃料ガスを引き込み、電磁比例弁２１にて燃料ガスの供給量を調整するようにしている。尚、バーナ１５は複数の切替え燃焼面を有して、必要熱量に応じて燃焼切替えを行うようにしてもよい。
【００１１】
バーナ１５の下方には燃焼空気を送る電動ファン１７が配置されている。
バーナ１５の炎口付近には、点火手段であるイグナイタ２０と、燃焼確認のためのフレームロッド１６等が設けられている。フレームロッド１６はその先端が、燃焼火炎中に配置され、燃焼中は火炎電流を検出するようになっている。
熱交換器１３の上方には、排気通路１１が設けられており、バーナ１５の燃焼による排気は排気通路１１を介して外部に導かれるようになっている。
熱交換器１３には、多数のフィン１４が設けられており、このフィン１４を貫通するように給湯系の受熱管３０ａと追焚き系（風呂系）の受熱管５０ａが配置されている。これにより、各受熱管３０ａ、５０ａは同時に一つの熱交換器１３によって加熱されるようになっている。
【００１２】
追焚き系の受熱管５０ａには、浴槽５７の循環金具５８との間に設けられた追焚き用の循環管路５１が接続されている。具体的には、受熱管５０ａの一端側（入側）には追焚き管路５１の戻り管５２が、他端側（出側）には追焚き管路５１の往き管５３が接続され、全体として循環管路を構成するようになっている。
浴槽５７からの水を引き込む戻り管５２には、流水を検出するための風呂用フローセンサ（水流スイッチ）５６と、浴槽の湯温を検出するための風呂サーミスタ５５と、浴槽５７の水を引き込むための循環ポンプ５４が設けられている。
【００１３】
これに対して給湯系３０は、その受熱管３０ａの一端側（入側）には外部から水を引き込む給水管３１が接続され、他端側（出側）には加熱された湯を出湯するための給湯管３２が接続されている。
給水管３１は、外部から導かれた水流の存在とその水量を検出するフローセンサ３５と、例えばギヤモータで構成された水量制御弁３６と、導入された水の温度を検出する入水サーミスタ３７とが接続されている。
給湯系の受熱管３０ａの途中で熱交換器１３の近傍には、温度検出手段である第１の給湯サーミスタ４４が取付けられている。
【００１４】
さらに、この受熱管３０ａから熱交換器１３の外にでた箇所に接続される給湯管３２には、第２の給湯サーミスタ３９が接続されている。さらに、給水管３１のフローセンサ３５より下流で水量制御弁３６より上流の箇所を分岐させて、給湯管３２の第２の給湯サーミスタ３９より下流の箇所をつないで、バイパス手段３４が設けられている。このバイパス手段３４にはそのバイパス流量を可変するためのバイパス弁３８が設けられており、このバイパス弁３８は例えばギヤモータにより制御されるようになっている。
さらに、給水管３１の入水サーミスタ３７より下流を分岐させて、給湯管３２の第２の給湯サーミスタ３９より上流の箇所をつないで、流量が変化しない固定バイパス３３が設けられている。
【００１５】
また、給湯管３２のバイパス手段３４との接続箇所より下流には、混合水サーミスタ４１が設けられている。さらに、給湯管３２は、混合水サーミスタ４１より下流を分岐させて分岐管（注湯管）４２の一端が接続されており、この分岐管４２の他端は、上述した追焚き管路５１の循環ポンプ５４より下流に接続されている。この分岐管４２には、注湯電磁弁４３が設定されている。
そして、各部の動作を制御する制御装置１８及びその遠隔操作装置であるリモートコントローラ（リモコン）１９が備えられている。
【００１６】
図２は、制御装置１８に対する主な装置構成を示している。
すなわち、図２において、この制御装置１８には、前述したフレームロッド１６、イグナイタ２０、循環ポンプ５４や風呂サーミスタ５５、給湯サーミスタ３９、４４、水流スイッチ５６等が接続され、制御信号が出力されたり検出信号が入力される。さらに、この制御装置１８には、リモコン１９が接続されており、使用者は、このリモコン１９により追焚き等の必要な指示を所定の動作ボタン１９２により与えることができる。
制御装置１８は、追焚き系の例えば追焚きや自動保温等の動作を指示する動作指示部１８１及びこの動作指示部１８１による指示信号が追焚き系の間欠運転指示であるとき、追焚き系の間欠運転指示中であることをリモコン１９に備えられた報知手段１９１に報知させる報知指示部１８２を備えている。
【００１７】
この報知手段１９１としては、例えば発光ダイオード等で成るランプや液晶等で成る文字表示手段が用いられる。
報知手段１９１として例えば発光ダイオード等で成るランプを用いる場合、報知指示部１８２は、間欠運転中は燃焼中・非燃焼中にかかわらずランプを点灯し続けるか、あるいは燃焼中と非燃焼中を区別してランプを点灯させる制御を行う。
このランプの区別の方法としては、例えば２色発光ダイオードを用いて燃焼中は赤色に発光させ、非燃焼中は橙色に発光させるというように燃焼中と非燃焼中のランプの色を異ならせる方法、燃焼中はランプを点灯させ、非燃焼中はランプを点滅させる方法、もしくは少なくとも２つのランプを備えて燃焼中と非燃焼中のランプの点灯を異ならせる方法等がある。
【００１８】
また、報知指示部１８２は、ランプをタイマー制御するようにしても良い。即ち、燃焼停止（非燃焼開始時）から一定時間ランプを点灯させ、その後に非燃焼中でもランプを消灯させ、燃焼開始時から再度ランプを点灯させるということを繰り返す制御を行う。この一定時間は、例えば経験的な湯温の変動から導いた時間（例えば５分程度）や、直接的に測定した季節の違いによる外気温等の変動をメモリ等に記憶させて学習機能により導いた時間が用いられる。
さらに、報知手段１９１として例えば液晶等で成る文字表示手段を用いる場合、報知指示部１８２は、間欠運転中であって燃焼中または非燃焼中であること等を文字等で表示させる制御を行う。
【００１９】
また、追焚き系の間欠運転指示が再度なされたときは、特殊な報知をする特殊報知手段を上記報知手段１９１とは同一あるいは別個にリモコン１９に設けても良い。
この特殊報知手段としては、例えば発光ダイオード等で成るランプ、液晶等で成る文字表示手段、圧電スピーカ等で成る音声発生手段が用いられる。
特殊報知手段として例えば発光ダイオード等で成るランプを用いる場合、報知指示部１８２は、再度間欠運転指示がなされたときは、ランプの色を異ならせたり、ランプを周波数やデューティ比を変更して早い点滅や遅い点滅をさせる制御を行う。また、特殊報知手段として例えば液晶等で成る文字表示手段や圧電スピーカ等で成る音声発生手段を用いる場合、報知指示部１８２は、再度間欠運転指示がなされたこと等を文字等で表示させたり音声で知らせたりする制御を行う。
【００２０】
また、追焚き系の間欠運転中に例えば動作ボタン１９２と同一のボタンの長時間の押し込み操作、複数の動作をボタン操作あるいは他の動作ボタン操作等による追焚きのキャンセル指示がなされたときは、報知指示部１８２は、上述した報知手段１９１による報知を継続しながら、使用者に間欠運転中であることを知らせ、再度キャンセル指示がされた時（例えば複数回指示がされた時）、あるいは所定時間指示がされ続けている時には、動作指示部１８１は、追焚きをキャンセルする制御を行うようにしても良い。
【００２１】
このような構成において、本発明に係る燃焼装置の実施形態の動作例を図３のフローチャートで説明する。
ここで、報知手段１９１としては、例えば発光ダイオード等で成るランプを用い、報知指示部１８２は、間欠運転中は燃焼中・非燃焼中にかかわらずランプを点灯し続ける制御を行う場合である。
リモコン１９の追焚きスイッチが押されると（ＳＴ１）、制御装置１８の動作指示部１８１は、追焚き管路５１の循環ポンプ５４を駆動させる（ＳＴ２）。制御装置１８の検出部が、風呂用フローセンサ５６がオンしたことを確認したら（ＳＴ３）、動作指示部１８１は、イグナイタ２０によりバーナ１５に点火トライさせる（ＳＴ４）。
【００２２】
検出部は、フレームロッド１６がオンしたか否かを確認し（ＳＴ５）、フレームロッド１６が所定時間でオンしないときは（ＳＴ６）、点火失敗としてエラー処理する（ＳＴ７）。
一方、フレームロッド１６がオンしたときは、動作指示部１８１は、追焚燃焼を開始させ（ＳＴ８）、報知指示部１８２は、報知手段１９１である燃焼ランプをオンする（ＳＴ９）。検出部は、給湯サーミスタ３９又は４４が所定温度（例えば８０°Ｃ）以上であるか否かを確認し（ＳＴ１０）、給湯サーミスタ３９又は４４が所定温度（例えば８０°Ｃ）以上であるときは、動作指示部１８１は、バーナ１５を消火する（ＳＴ１１）。
【００２３】
バーナ１５を消火した後、報知指示部１８２は、間欠運転中の所定報知を行い（ＳＴ１２）、検出部は、給湯サーミスタ３９又は４４が所定温度（例えば６０°Ｃ）以下であるか否かを確認する（ＳＴ１３）。
給湯サーミスタ３９又は４４が所定温度（例えば６０°Ｃ）以下であるときは、動作指示部１８１は、イグナイタ２０によりバーナ１５に点火トライさせる（ＳＴ１４）。検出部は、フレームロッド１６がオンしたか否かを確認し（ＳＴ１５）、フレームロッド１６が所定時間でオンしないときは（ＳＴ１６）、点火失敗としてエラー処理する（ＳＴ１７）。一方、フレームロッド１６がオンしたときは、動作指示部１８１は、追焚燃焼を開始させる（ＳＴ１８）。
【００２４】
そして、この追焚燃焼開始後、あるいは給湯サーミスタ３９又は４４が所定温度（例えば８０°Ｃ）以上でないとき（ＳＴ１０）、あるいは給湯サーミスタ３９又は４４が所定温度（例えば６０°Ｃ）以下でないとき（ＳＴ１３）、検出部は、風呂サーミスタ５５が設定温度であるか否かを確認し（ＳＴ１９）、風呂サーミスタ５５が設定温度でないときは、追焚きの設定時間内であるか否かを確認する（ＳＴ２０）。そして、追焚きの設定時間内であるときは、検出部は、フレームロッド１６により燃焼中であるか否かを確認し（ＳＴ２１）、燃焼中でないときはＳＴ１０に戻り、燃焼中であるときはＳＴ１３に戻って上述した動作を繰り返す。
一方、追焚きの設定時間内でないとき、あるいは風呂サーミスタ５５が設定温度であるときは、動作指示部１８１は、バーナ１５を消火し（ＳＴ２２）、報知手段１９１である燃焼ランプをオフし（ＳＴ２３）、リモコン１９の追焚きスイッチをオフして全ての処理を終了する（ＳＴ２４）。
【００２５】
【発明の効果】
以上述べたように、本発明によれば、所定の動作状態の指示中であることを報知することができ、使用者の誤認を防止することができる。あるいは、誤認して再度同じ動作指示をしても、装置から動作状況を報知されるので、動作中であるにもかかわらず動作を停止させてしまうことも無くすことができる。
【図面の簡単な説明】
【図１】本発明に係る燃焼装置の実施形態の主な構成を示す系統図である。
【図２】本実施形態の燃焼装置の制御装置の主構成を示す系統図である。
【図３】本実施形態の燃焼装置の動作例を説明するフォローチャートである。
【符号の説明】
１０            燃焼装置
１１            排気通路
１２            燃焼部
１３            熱交換器
１４            フィン
１５            バーナ
１５ａ          ガス供給管
１６            フレームロッド
１７            ファン
１８            制御装置
１９            リモコン
２０            イグナイタ
２１            電磁比例弁
２２            主電磁開閉弁
３０            給湯系
３１            給水管
３２            給湯管
３３            固定バイパス
３４            バイパス手段
３５            フローセンサ
３６            水量制御弁
３７            入水サーミスタ
３９            給湯サーミスタ
４１            混合水サーミスタ
４２            分岐管
４３            注湯電磁弁
４４            給湯サーミスタ
５０            追焚き系
５１            追焚き管路
５２            戻り管
５３            往き管
５４            循環ポンプ
５５            風呂サーミスタ
５６            風呂用フローセンサ（水流スイッチ）
５７            浴槽
５８            循環金具
１８１          動作指示部
１８２          報知指示部
１９１          報知手段
１９２          動作ボタン
【図１】
0003834379.tif 000002
【図２】
0003834379.tif 000003
【図３】
0003834379.tif 000004